(57)【要約】【課題】複数の花火本体への同時着火が可能で、なおかつ任意の位置に花火本体を配置させることも可能な吊り下げ型の玩具花火を提供すること。【解決手段】複数の花火本体３を第１の紐２に対して同第１の紐２に沿って移動可能に吊り下げ支持するとともに、隣接する花火本体３同士の間隔が一定以上に拡開しないように第２の紐６を設けた。そして最も外寄り位置にの花火本体３に花火本体３の間隔を拡開させるための延出部８を装着した。【選択図】      図１
0003164810.tif 000002
【実用新案登録請求の範囲】
【請求項１】
複数の花火本体を紐状部材に対して同紐部材に沿って移動可能に吊り下げ支持するとともに、隣接する前記花火本体同士の間隔が一定以上に拡開しないような規制部材を設け、前記規制部材の外寄り位置に隣接する前記花火本体の間隔を拡開させるための引っ張り部材を装着したことを特徴とする玩具花火。
【請求項２】
前記規制部材は第２の紐状部材であることを特徴とする請求項１に記載の玩具花火。
【請求項３】
前記規制部材は平ジャバラ体であって、前記平ジャバラ体の山を貫く方向に前記紐部材が挿通されるとともに、前記平ジャバラ体の下方を向いた稜線位置に前記花火本体が吊り下げ支持されるようにしたことを特徴とする請求項１又は２に記載の玩具花火。
【考案の詳細な説明】
【技術分野】
【０００１】
本考案は、空中に張った紐状部材に花火本体を吊り下げて使用する玩具花火に関するものである。
【背景技術】
【０００２】
従来から多数の花火本体を直列に並べて流れ落ちる滝の水のような火花を楽しませる、いわゆる「ナイアガラ」と呼ばれる吊り下げ式の玩具花火がある。このような玩具花火の一例として特許文献１の実施の形態３を挙げる。特許文献１の図７に示すように吊り下げられた各導火線型花火３２の下端位置に横一直線に導火線３６が配設されており、遊技者はこの導火線３６に火をつければすべての導火線型花火３２に点火されることとなる。しかし、特許文献１の図７は比較的小型のナイアガラ型花火であり、そもそも、各導火線型花火３２は基部が本体に完全に固定されており、導火線３６がなければ各導火線型花火３２に１本ずつ着火していかなければならない構造であるため、必然的に導火線３６を設けている。
一方、図５に示すように、より大型のナイアガラ型花火５０では複数の花火本体５１は所定間隔で紐５２に吊り下げられて固定されており、上記特許文献１に比べて花火本体５１の動きの自由度があるため、通常は図６に示すように、吊り下げられた複数の花火本体５１の下端を一か所に寄せて着火するようにしている。
【先行技術文献】
【特許文献】
【０００３】
【特許文献１】特開２００２−１９５７９８号公報
【考案の開示】
【考案が解決しようとする課題】
【０００４】
しかし、上記図５及び図６のようなナイアガラ型花火５０では各花火本体５１は紐５２の所定位置に固着されているため、各花火本体５１の間隔が下端を一か所に寄せられる態度の距離にあればよいが、多数の花火本体５１がある場合にはすべてを一か所に寄せることはできずいくつかの花火本体５１ごとにまとめて着火するような着火方式を採用せざるを得なかった。この場合に特許文献１のような導火線を配設することも考えられるが、導火線の場合でもすべての花火本体５１に同時に着火させることはできず、タイムラグが生じてしまうことや、コストアップとなってしまう等の問題も生じてしまう。
本考案は、このような従来の技術に存在する問題点に着目してなされたものである。その目的とするところは、複数の花火本体への同時着火が可能で、なおかつ任意の位置に花火本体を配置させることも可能な吊り下げ型の玩具花火を提供することにある。
【課題を解決するための手段】
【０００５】
上記の目的を達成するための第１の手段として、複数の花火本体を紐状部材に対して同紐部材に沿って移動可能に吊り下げ支持するとともに、隣接する前記花火本体同士の間隔が一定以上に拡開しないような規制部材を設け、前記規制部材の外寄り位置に隣接する前記花火本体の間隔を拡開させるための引っ張り部材を装着したことをその要旨とする。
第２の手段では第１の手段に加え、前記規制部材は第２の紐状部材であることをその要旨とする。
第３の手段では第１又は第２の手段に加え、前記規制部材は平ジャバラ体であって、前記平ジャバラ体の山を貫く方向に前記紐部材が挿通されるとともに、前記平ジャバラ体の下方を向いた稜線位置に前記花火本体が吊り下げ支持されるようにしたことをその要旨とする。
【０００６】
このような構成では、紐状部材を張設して複数の花火本体を吊り下げた際に、花火本体を紐部材に沿って移動させて一か所に寄せることができる。そして、花火本体に着火した後に引っ張り部材を引っ張って花火本体を外寄りに移動させ、花火本体同士の間隔を開けるようにする。この際に規制部材があるためその規制部材で規制された以上に花火本体の間隔が広がってしまうことはない。
ここに、紐状部材とは可撓性のある紐縄状の部材であればよく、素材や太さ・長さ等は問わない。
規制部材は要は隣接する花火本体同士を所定間隔内で接近したり離間したりすることを許容する部材であれば特に限定されるものではなく、特に紐状部材（第２の紐状部材）や平ジャバラ体が好ましい。平ジャバラ体を規制部材として使用する場合には平ジャバラ体の山を貫く方向に紐部材を挿通させ、平ジャバラ体の下方を向いた稜線位置に花火本体を吊り下げ支持するような構成が好ましい。
【考案の効果】
【０００７】
上記請求項１の考案では、紐状部材を張設した状態で吊り下げられた複数の花火本体を一か所に寄せることで複数の花火本体への同時着火が可能となるとともに、引っ張り部材を外方に引っ張ることで規制部材によって規制されている範囲内で各花火本体を任意の間隔となるように配置とすることが可能となる。
請求項２の発明では請求項１の発明の効果に加え、規制部材が紐状部材であるため、長さを適宜変更して規制される間隔を容易に変更することができる。また、紐状部材であるため低コスト化にも貢献する。
請求項３の発明では請求項１の発明の効果に加え、規制部材が平ジャバラ体であるため、容易かつスムーズに折り畳んだ状態から拡開状態とすることができる。
【図面の簡単な説明】
【０００８】
【図１】本考案の実施の形態１の玩具花火の一部切り欠き部分正面図。
【図２】同じ玩具花火を一か所に集合させた状態で、かつ着火直前の状態を説明する部分正面図。
【図３】本考案の実施の形態２の玩具花火の部分正面図。
【図４】同じ玩具花火の斜視図。
【図５】従来の玩具花火の部分正面図。
【図６】従来の玩具花火の着火直前の状態を説明する部分正面図
【考案を実施するための最良の形態】
【０００９】
以下、本考案の噴出型玩具花火を具体化した実施の形態を図面に基づいて説明する。
（実施の形態１）
図１及び図２に示すように、本実施の形態１のナイアガラ型花火１は吊り下げ用の第１の紐２に対して複数の花火本体３が直列状に配設されている。尚、実施の形態１では５つの花火本体３を直列状に配設した一例について図示しているが、これ以上の数を配設することはもちろん可能である。各花火本体３は下端に導火線４を備えた火薬が収容された筒状の外形とされている。本実施の形態１では花火本体３の長さは２０ｃｍとされている。各花火本体３は金属製のＳ状フック５から下垂される細紐７によって吊り下げられている。本実施の形態１では細紐７の長さは２０ｃｍとされている。各花火本体３の細紐７の延出方向と直交する方向に規制部材としての第２の紐６が配設されている。第２の紐６は隣接する細紐７間の長さが一定（本実施の形態１では３０ｃｍ）となるように細紐７に結ばれており、隣接する各花火本体３は最大でこの一定の長さ以上には広がらないように規制されている。図２に示すように、第２の紐６は最も外側の花火本体３から更に外方に延出されて延出部８とされている。延出部８が引っ張り部材に相当する。
【００１０】
次に、上記のように構成されたナイアガラ型花火１の作用について説明する。
まず遊技者は第１の紐２の両端を図示しない被係止体（支柱、立木等の固定された結べる対象）に任意の間隔で張設する。そして、図２に示すようにすべての花火本体３を一か所に寄せてロウソク１０のような着火装置によって導火線４に着火する。そして、すかさず延出部８を両側に引っ張って各花火本体３の間隔を拡開させる。そして花火本体３は着火によって下方に向かって火花を噴射することとなる。このとき、適宜引っ張る量を調整することで各花火本体３の間隔を比較的近い位置に配置させたり、最大で３０ｃｍの間隔で配置させたり任意に配置位置を変更することができる。また、左右の延出部８のいずれか一方を前もって被係止体に結んでおくことで結んでない方の延出部８のみを引っ張るような操作をしても構わない。
【００１１】
上記のように構成することで本実施の形態１では次のような効果を奏する。
（１）第１の紐２を張設した状態で吊り下げられた複数の花火本体３を一か所に寄せることができ、複数の花火本体３への同時着火が可能となるとともに、延出部８を外方に引っ張ることで第２の紐６によって規制されている範囲内で各花火本体３を任意の配置とすることが可能となる。
（２）第２の紐６を規制部材としているため、長さを適宜変更して規制される間隔を容易に変更することができる。また、第２の紐６は部材としてコストがかからないため低コスト化に貢献する。
【００１２】
（実施の形態２）
図３及び図４に示すように、本実施の形態２のナイアガラ型花火１１は吊り下げ用の第１の紐１２に対して平ジャバラ体１３を介して複数の花火本体１４が吊り下げられている。平ジャバラ体１３は長方形形状の厚紙を長手方向において所定間隔で交互に屈曲させた平ジャバラ状の構造体である。平ジャバラ体１３の屈曲させた稜線寄りの内側対向面を部分的に接着することで上方向に４か所、下方向に３か所のそれぞれ補強部１３ａ，１３ｂが形成されている。本実施の形態２では平ジャバラ体１３の補強部１３ａ，１３ｂを除くその間の長さは２０ｃｍとされている。上方向の補強部１３ａには重複方向において同じ位置に第１の透孔１５が形成されており、各第１の透孔１５に対して第１の紐１２が挿通されている。下方向の補強部１３ｂ及び平ジャバラ体１３の下方を向いた両側端１３ｃには重複方向において同じ位置に第２の透孔１６が形成されている。各補強部１３ｂごとに第２の透孔１６に対して上端が結ばれた細紐１７によって花火本体１４が吊り下げられている。本実施の形態２では細紐１７の長さは１０ｃｍとされている。各花火本体１４は実施の形態１と同様に下端に導火線１８を備えた火薬が収容された筒状の外形とされている。本実施の形態２では花火本体３の長さは２０ｃｍとされている。両側端１３ｃの透孔１６に対して引っ張り部材としての引っ張り紐１９の上端が結ばれている。尚、実施の形態２では３つの下方向の補強部１３ｂを形成するように交互に屈曲させたが、これ以上の屈曲数の平ジャバラとし、更に多くの花火本体１４を吊り下げるようにすることももちろん可能である。
【００１３】
次に、上記のように構成されたナイアガラ型花火１１の作用について説明する。
まず遊技者は第１の紐１２の両端を図示しない被係止体に任意の間隔で張設する。そして、図４に示すように平ジャバラ体１３を折り畳む方向に押し縮めてすべての花火本体１４を一か所に寄せてロウソク２０のような着火装置によって導火線１８に着火する。そして、すかさず引っ張り紐１９を両側に引っ張って各花火本体１４の間隔を拡開させる。そして花火本体１４は着火によって下方に向かって火花を噴射することとなる。このとき、適宜引っ張る量を調整することで各花火本体３の間隔を比較的近い位置に配置させたり、最大で４０ｃｍの間隔で配置させたり任意に配置位置を変更することができる。また、左右の引っ張り紐１９のいずれか一方を前もって被係止体に結んでおくことで結んでない方の引っ張り紐１９のみを引っ張るような操作をしても構わない。
【００１４】
上記のように構成することで本実施の形態では次のような効果を奏する。
（１）第１の紐１２を張設した状態で平ジャバラ体１３を介して吊り下げられた複数の花火本体１４を平ジャバラ体１３を折り畳むだけで簡単に一か所に寄せることができ、複数の花火本体１４への同時着火が可能となるとともに、引っ張り紐１９を外方に引っ張ることで平ジャバラ体１３によって規制されている範囲内で各花火本体１４を任意の配置とすることが可能となる。
（２）平ジャバラ体１３は幅があるため１つの稜線位置に複数の花火本体を吊り下げ支持させることが可能である。
【００１５】
尚、この考案は、次のように変更して具体化することも可能である。
・花火本体３，１４の形状や火薬の種類等は適宜変更可能である。
・実施の形態２において平ジャバラ体１３へは細紐１７なしで花火本体１４を吊り下げるようにしてもよい。
・ナイアガラ型花火１，１１の花火本体３，１４の形状や数、間隔は上記に限定されるものではない。
・規制部材としては第２の紐６や平ジャバラ体１３以外の方式を使用することも自由である。
・その他、本考案の趣旨を逸脱しない態様で実施することは自由である。
【符号の説明】
【００１６】
１，１１…玩具花火としてのナイアガラ型花火、２，１２…紐状部材としての第１の紐、６…規制部材としての第２の紐、３，１４…花火本体、７…引っ張り部材としての延出部、１３…規制部材としての平ジャバラ体、１９…引っ張り部材としての引っ張り紐。
【図１】
0003164810.tif 000003
【図２】
0003164810.tif 000004
【図３】
0003164810.tif 000005
【図４】
0003164810.tif 000006
【図５】
0003164810.tif 000007
【図６】
0003164810.tif 000008